(57)【要約】【課題】  無端印字ベルトが回転子を回転させたときにベルト掛け部との間で滑りによる空回りの全くない構造が簡単で安価な回転印を提供すること。【解決手段】  印字枠１内の上部にそれぞれ独立して回転可能に配列してある複数個の回転子２の各ベルト掛け部２２とその下方に設けた架橋部材３との間に無端印字ベルト４をそれぞれ懸装して、各回転子２の回転操作により無端印字ベルト４を回転させて無端印字ベルト４の所要の印字部４１を架橋部材３の下に位置させるようにした回転印において、前記した回転子２のベルト掛け部２２の周面に複数のベルト係合用突起２３を所要間隔をおいて配設する一方、各無端印字ベルト４の印字部４１、４１間に前記したベルト掛け部２２のベルト係合用突起２３に係合される送り孔４２を配設した。【選択図】  図１
2007331229.tif 000002
【特許請求の範囲】
【請求項１】
印字枠(1) 内の上部にそれぞれ独立して回転可能に配列した複数個の回転子(2) のベルト掛け部(22)とその下方に設けた架橋部材(3) との間に無端印字ベルト(4) をそれぞれ懸装して、各回転子(2) の回転操作により無端印字ベルト(4) を回転させて無端印字ベルト(4) の所要の印字部(41)を架橋部材(3) の下に位置させるようにした回転印において、前記した回転子(2) のベルト掛け部(22)の周面に複数のベルト係合用突起(23)を所要間隔をおいて配設する一方、各無端印字ベルト(4) の印字部(41)、(41)間に前記したベルト掛け部(22)のベルト係合用突起(23)に係合される送り孔(42)を配設してあることを特徴とする回転印。
【請求項２】
回転子(2) が、周縁にギザのある回転操作盤部(21)の側面にこれより小径で周面に複数のベルト係合用突起(23)が所要間隔をおいて配設されている短筒状のベルト掛け部(22)を連設してその外端に前記したベルト係合用突起(23)の先端より周縁が突出するベルト脱落防止用の鍔部(24)を設けたものである請求項１に記載の回転印。
【請求項３】
無端印字ベルト(4) が、無数の連続気孔を有する熱可塑性樹脂よりなる表層(43)の裏側を補強裏布(44)で補強した積層生地よりなるものである請求項１または２に記載の回転印。
【発明の詳細な説明】
【技術分野】
【０００１】
本発明は、日付印のように下側の架橋部材の下に位置する印字部の配列を頻繁に並び換えて使用する回転印に関するものである。
【背景技術】
【０００２】
架橋部材が下端に架設されている印字枠内の上部にベルト掛け部を有する回転子の複数個をそれぞれ独立して回転可能に配列して各回転子のベルト掛け部と前記架橋部材との間に印字部が所要の間隔をおいて配設されている無端印字ベルトをそれぞれ張設し、各回転子の回転操作により無端印字ベルトを回転させて無端印字ベルトの所要の印字部を下側の架橋部材の下に位置させるようにした従来の回転印においては、頻繁な回転操作でベルトが延びて空回りし的確な回転操作を行い難くなる。そこで、例えば特開２００５−２０５７９８号公報に見られるように、無数の連続気孔を有する熱可塑性樹脂表層を補強裏布で補強した積層生地よりなる無端印字ベルトを使用して頻繁な回転操作によってもベルトが延び難くしているが、補強裏布とベルト掛け部間の滑りで空回りを完全に防止することはできない。そこで、無端印字ベルトの裏面と架橋部材との抵抗を高める種々の工夫がなされているが、いずれも無端印字ベルトの的確な回転を行い難いものであった。
【特許文献１】特開２００５−２０５７９８号公報
【発明の開示】
【発明が解決しようとする課題】
【０００３】
本発明が解決しようとするところは、前記のような問題を解決して無端印字ベルトとベルト掛け部間の滑りによる空回りの全くない構造が簡単で安価な回転印を提供することにある。
【課題を解決するための手段】
【０００４】
前記のような課題を解決した本発明の回転印は、印字枠内の上部にそれぞれ独立して回転可能に配列した複数個の回転子のベルト掛け部とその下方に設けた架橋部材との間に無端印字ベルトをそれぞれ懸装して、各回転子の回転操作により無端印字ベルトを回転させて無端印字ベルトの所要の印字部を架橋部材の下に位置させるようにした回転印において、前記した回転子のベルト掛け部の周面に複数のベルト係合用突起を所要間隔をおいて配設する一方、各無端印字ベルトの印字部間に前記したベルト掛け部のベルト係合用突起に係合される送り孔を配設してあることを特徴とするものである。
【０００５】
なお、前記した発明に用いる回転子としては、周縁にギザのある回転操作盤部の側面にこれより小径で周面に複数のベルト係合用突起が所要間隔をおいて配設されている短筒状のベルト掛け部を連設してその外端に周縁が前記したベルト係合用突起の先端より突出するベルト脱落防止用の鍔部を設けたものが好ましく、また、これらの発明に用いる無端印字ベルトとしては、無数の連続気孔を有する熱可塑性樹脂よりなる表層の裏側を補強裏布で補強した積層生地よりなるものである場合に特に顕著な効果が得られ、これらを請求項２および請求項３の発明とする。
【発明の効果】
【０００６】
このような本発明は、所要の回転子を回転させることによりそのベルト掛け部と架橋部材との間に張設されている無端印字ベルトを回転させて無端印字ベルトの所要の印字部を架橋部材の下に位置させて使用することは従来のこの種の回転印と同様であるが，本発明では回転子のベルト掛け部の周面に複数のベルト係合用突起を所要間隔をおいて配設する一方、各無端印字ベルトの印字部間に前記したベルト掛け部のベルト係合用突起に係合される送り孔を配設してあり、回転子を回転させるとこの回転子と架橋部材との間に懸装してある無端印字ベルトはその印字部間にあるいずれかの送り孔に回転子のベルト掛け部の周面に複数のベルト係合用突起が係合させてあることにより無端印字ベルトは共回りをすることとなり、無端印字ベルトは空回りすることなく的確に回転されて所要の印字部を的確に架橋部材の下に位置させることができる。
【実施例】
【０００７】
次に、本発明の好ましい実施の形態を図面に示すような、無数の連続気孔を有する熱可塑性樹脂よりなる表層の裏側を補強裏布で補強した積層生地よりなる無端印字ベルトを用いた回転印を参考にしながら詳細に説明する。
１は回転印の印字枠、２は印字枠１内の上部に架設されている軸に中心孔を軸支させてそれぞれ独立して回転自在に配列されている複数の回転子、３は印字枠１の下端に設けられている架橋部材、４は各回転子２と架橋部材３間にそれぞれ懸装した任意の材料よりなる細幅の無端印字ベルトである。そして、前記した架橋部材３と各回転子２のベルト掛け部との間に懸装してある無端印字ベルト４を各回転子２の回転操作により回転させて無端印字ベルト４に所要の間隔をおいて配設されている印字部４１を架橋部材３の下に位置させるようにした回転印であることは従来の回転印と同様であるが、本発明は前記した回転子２と無端印字ベルト３の具体的構成に特徴がある。
【０００８】
すなわち、前記した回転子２は、周縁にギザが形成されている略円形の回転操作盤部２１の側面にこれよりやや小径の短筒状をしたベルト掛け部２２を連設し、このベルト掛け部２２の周面に複数のベルト係合用突起２３を所要間隔をおいて配設してあり，このベルト係合用突起２３を配設した点は本発明の特徴的構成の１つである。なお、ベルト掛け部２２の外端には周縁が前記したベルト係合用突起２３の先端より突出するベルト脱落防止用の鍔部２４を設けておくことによりベルト掛け部２２に懸けられる無端印字ベルト３の脱落を防止できるので好ましく、さらに、この実施例では回転操作用円盤２１とベルト掛け部２２との間にも前記した鍔部２４と略同形の厚肉部２５を設けて無端印字ベルト３のインキが回転操作盤部２１に達することを防いでいる。
【０００９】
また、前記した無端印字ベルト４は、これに配設されている印字部４１、４１間に前記したベルト掛け部２２のベルト係合用突起２３に係合される送り孔４２を配設したものとしており、この送り孔４２が配設されている無端印字ベルト４を用いることも本発明の特徴的構成の１つである。なお、前記した無端印字ベルト４として実施例では、無数の連続気孔を有する熱可塑性樹脂よりなる表層４３と補強裏布４４との積層生地よりなるものとしているが、補強裏布の無いものであって、非多孔質のものであってもよいし、ゴム系ベルトのような熱可塑性樹脂系ではないものであってもよいことは勿論であって、図示したようなものに限定されることはない。
【００１０】
そして、この無端印字ベルト４は前記したいずれかの送り孔４２をベルト係合用突起２３に係合させた状態で回転子２のベルト掛け部２２とその下方に設けた架橋部材３との間に懸装してある。                    
【００１１】
また、この実施の形態の回転印は、マスター印に組み込んだものである関係上、架橋部材３は直接印字枠１の下端に架設することなく、印字枠１の下端に連設したインキ補給部材６の下端に設けられたものとしているが、回転印を単体で用いる場合は印字枠１の下端に直接架設してもよいことは勿論である。なお、図において、７はこの回転印とともにケース８に組み込まれるマスター印部、９および１０は無端印字ベルト４の回転時にクリック感を生じさせるためのクリッカーおよびスプリング、１１はインキタンク、１２はスライド受脚である。
【００１２】
このような回転印は、所要の回転子２の回転操作用円盤２１を操作して回転子２を回転させることによりそのベルト掛け部２２と架橋部材３との間に懸装されている無端印字ベルト４をその所要の印字部４１が架橋部材３の下に位置するまで回転させて使用することは従来のこの種の回転印と同様であるが，各回転子２のベルト掛け部２２の周面には複数のベルト係合用突起２３を所要間隔をおいて配設してある一方、各無端印字ベルト４の印字部４１、４１間には前記したベルト掛け部２２のベルト係合用突起２３に係合される間隔で送り孔４２を配設してあって、回転子２を回転させると無端印字ベルト４はその印字部４１、４１間にある前記した送り孔４２を回転子２のベルト掛け部２２にある前記したベルト係合用突起２３に係合させた状態で共回りすることとなり、無端印字ベルト４はスリップにより空回りすることなく的確に回転されて所要の印字部４１を的確に架橋部材の下に位置させることができる。
【図面の簡単な説明】
【００１３】
【図１】本発明の好ましい実施の形態を示す要部の分解斜視図である。
【図２】本発明をマスター印とともにケースに組み込んだ印判の説明図である。
【図３】本発明に用いる回転子の好ましい実施の形態を示す斜視図である。
【図４】本発明に用いる回転子の好ましい実施の形態を示す正面図である。
【符号の説明】
【００１４】
１    印字枠  
２    回転子
21    回転操作盤部                                                              22    ベルト掛け部                                                              23    ベルト係合用突起                                                          24    ベルト脱落防止用の鍔部    
３    架橋部材
４    無端印字ベルト
41    印字部
42    送り孔
43    熱可塑性樹脂よりなる表層                                                  44    補強裏布
【図１】
2007331229.tif 000003
【図２】
2007331229.tif 000004
【図３】
2007331229.tif 000005
【図４】
2007331229.tif 000006
【手続補正書】
【提出日】平成19年3月2日(2007.3.2)
【手続補正１】
【補正対象書類名】明細書
【補正対象項目名】０００７
【補正方法】変更
【補正の内容】
【０００７】
次に、本発明の好ましい実施の形態を図面に示すような、無数の連続気孔を有する熱可塑性樹脂よりなる表層の裏側を補強裏布で補強した積層生地よりなる無端印字ベルトを用いた回転印を参考にしながら詳細に説明する。
１は回転印の印字枠、２は印字枠１内の上部に架設されている軸に中心孔を軸支させてそれぞれ独立して回転自在に配列されている複数の回転子、３は印字枠１の下端に設けられている架橋部材、４は各回転子２と架橋部材３間にそれぞれ懸装した任意の材料よりなる細幅の無端印字ベルトである。そして、前記した架橋部材３と各回転子２のベルト掛け部との間に懸装してある無端印字ベルト４を各回転子２の回転操作により回転させて無端印字ベルト４に所要の間隔をおいて配設されている印字部４１を架橋部材３の下に位置させるようにした回転印であることは従来の回転印と同様であるが、本発明は前記した回転子２と無端印字ベルト４の具体的構成に特徴がある。
【手続補正２】
【補正対象書類名】明細書
【補正対象項目名】０００８
【補正方法】変更
【補正の内容】
【０００８】
すなわち、前記した回転子２は、周縁にギザが形成されている略円形の回転操作盤部２１の側面にこれよりやや小径の短筒状をしたベルト掛け部２２を連設し、このベルト掛け部２２の周面に複数のベルト係合用突起２３を所要間隔をおいて配設してあり，このベルト係合用突起２３を配設した点は本発明の特徴的構成の１つである。なお、ベルト掛け部２２の外端には周縁が前記したベルト係合用突起２３の先端より突出するベルト脱落防止用の鍔部２４を設けておくことによりベルト掛け部２２に懸けられる無端印字ベルト４の脱落を防止できるので好ましく、さらに、この実施例では回転操作盤部２１とベルト掛け部２２との間にも前記した鍔部２４と略同形の厚肉部２５を設けて無端印字ベルト４のインキが回転操作盤部２１に達することを防いでいる。
【手続補正３】
【補正対象書類名】明細書
【補正対象項目名】００１２
【補正方法】変更
【補正の内容】
【００１２】
このような回転印は、所要の回転子２の回転操作盤部２１を操作して回転子２を回転させることによりそのベルト掛け部２２と架橋部材３との間に懸装されている無端印字ベルト４をその所要の印字部４１が架橋部材３の下に位置するまで回転させて使用することは従来のこの種の回転印と同様であるが，各回転子２のベルト掛け部２２の周面には複数のベルト係合用突起２３を所要間隔をおいて配設してある一方、各無端印字ベルト４の印字部４１、４１間には前記したベルト掛け部２２のベルト係合用突起２３に係合される間隔で送り孔４２を配設してあって、回転子２を回転させると無端印字ベルト４はその印字部４１、４１間にある前記した送り孔４２を回転子２のベルト掛け部２２にある前記したベルト係合用突起２３に係合させた状態で共回りすることとなり、無端印字ベルト４はスリップにより空回りすることなく的確に回転されて所要の印字部４１を的確に架橋部材の下に位置させることができる。